(57)【要約】【課題】本発明は便利に置ける手提げ袋を開示した。【解決手段】本発明は便利に置ける手提げ袋を開示し、保存箱を含み、固定ブロックを使って固定を行う時、両側の固定ブロックを引き分けて下へ引き動かし、固定を行え、両側の挟み棒を使ってスーツケースのキャリーハンドルに挟み、それに両側の固定ブロックを使ってスーツケースに固定でき、手提げ袋をスーツケースに滑り落ちないように置き、必要のない損をさせなく、荷物が多すぎる時、ずっと手で提げる必要がない。【選択図】図１
2020175121.tif 000002
【特許請求の範囲】
【請求項１】
便利に置ける手提げ袋であって、保存箱を含み、前記保存箱の中には物品を載せられる上に開口した保存チャンバが設置されており、前記保存箱の左右両側には固定箱が固定的に取り付けられ、左右の前記固定箱の頂部端面には手提げ用の手提げ袋バンドが固定的に取り付けられ、左右の前記固定箱の頂部端面には袋蓋が固定的に取り付けられ、前記固定箱の中には歯車チャンバが設置されており、前記歯車チャンバの頂壁の中には前記固定箱の頂部端面を貫通したノブ棒が回転できるように取り付けられ、前記ノブ棒の頂部端面にはノブが固定的に取り付けられ、前記ノブ棒の底部端面には第一傘歯車が固定的に取り付けられ、前記歯車チャンバの前側にはネジ山チャンバが設置されており、前記ネジ山チャンバの中にはネジ山ブロックがスライドできるように取り付けられ、前記ネジ山ブロックの中には後に開口したネジ山穴が設置されており、前記歯車チャンバと前記ネジ山チャンバとの間にはネジ山ボルトが回転できるように取り付けられ、前記ネジ山ボルトと前記ネジ山穴とがネジ山により取り付けられ、前記ネジ山ボルトの後側端面には第二傘歯車が固定的に取り付けられ、前記第二傘歯車と前記第一傘歯車とが噛み合っており、前記ネジ山チャンバの前側には挟みチャンバが連通して設置されており、前記ネジ山ブロックの前側端面には挟み用の挟み棒が固定的に取り付けられ、前記挟みチャンバの左右の内壁の間には回転棒が回転できるように取り付けられ、前記挟みチャンバの左側にはねじりバネチャンバが設置されており、前記ねじりバネチャンバの左側端面にはねじりバネが固定的に取り付けられ、前記ねじりバネの右側端面と前記回転棒とが固定的に連結され、前記回転棒には蓋ボードが固定的に取り付けられ、前記挟み棒と使って固定する時、前記ノブ棒を回し、前記第一傘歯車と前記第二傘歯車との噛合によって前記ネジ山ボルトを回転連動させ、前記ネジ山ブロックを前へ移動させ、前記挟み棒が前記挟みチャンバの中から伸び出ており、挟みを行え、前記ネジ山チャンバの下方には固定機能を有する固定機構が設置されており、前記固定機構は前記固定箱の中に設置される移動チャンバを含み、前記移動チャンバの中には移動ブロックがスライドできるように取り付けられ、前記移動ブロックの中には下に開口した撥条チャンバが設置されており、前記撥条チャンバの中には固定を行える固定ブロックがスライドできるように取り付けられ、前記固定機構の上方には固定機構の移動を制限できるバックル機構が設置されることを特徴とする便利に置ける手提げ袋。
【請求項２】
前記固定機構は前記撥条チャンバと前記固定ブロックとの間に固定的に取り付けられる第一撥条を含み、前記撥条チャンバの頂壁にはスライドチャンバが連通して設置されており、前記スライドチャンバの中にはスライダがスライドできるように連結され、前記スライダと前記固定ブロックとが固定的に連結され、前記移動チャンバには連結チャンバが連結され、前記連結チャンバの前後内壁の間には連結ロッドが回転できるように取り付けられ、前記連結ロッドには歯車が固定的に取り付けられ、前記歯車と前記移動ブロックとが噛み合っており、前記連結チャンバには位置制限チャンバが連通して設置されており、前記係止溝の中には位置制限棒がスライドできるように取り付けられ、前記位置制限棒と前記歯車とが噛み合っており、それにより固定ブロックを使って固定を行う時、両側の固定ブロックを引き分けて下へ引き動かし、固定を行えることを特徴とする請求項１に記載の便利に置ける手提げ袋。
【請求項３】
前記バックル機構は前記位置制限棒の中に設置される係止溝を含み、前記位置制限チャンバには推しチャンバが連通して設置されており、前記推しチャンバにはボタンチャンバが連通して設置されており、前記ボタンチャンバの中にはボタンがスライドできるように取り付けられ、前記ボタンには推し棒が固定的に取り付けられ、前記推し棒と前記固定箱とがスライドできるように取り付けられ、前記ボタンと前記ボタンチャンバとの間には第二撥条が固定的に取り付けられ、前記推し棒には移動棒がヒンジで取り付けられ、前記推しチャンバの前後の内壁の間には補助棒が回転できるように取り付けられ、前記補助棒には伝動棒が固定的に取り付けられ、前記伝動棒にはスライド棒がヒンジで取り付けられ、前記スライド棒と前記固定箱とがスライドできるように連結され、前記スライド棒が前記係止溝の中に引っかかることができ、前記伝動棒の中には補助チャンバが設置されており、前記補助チャンバと前記移動棒とがスライドできるように取り付けられ、前記移動棒と前記補助チャンバとの間には第三撥条が固定的に取り付けられ、それにより両側の固定ブロックを下へ引き動かす時、ボタンを押し、推し棒を推して移動させ、移動棒と伝動棒との伝動によってスライド棒を移動連動させ、スライド棒と係止溝を係止状態から離脱させ、両側の固定ブロックは下へ移動できることを特徴とする請求項１に記載の便利に置ける手提げ袋。
【発明の詳細な説明】
【技術分野】
【０００１】
本発明は手提げ袋の分野を取り上げて、具体的には便利に置ける手提げ袋である。
【背景技術】
【０００２】
外出旅行する時、手提げ袋とスーツケースで手荷物を携帯し、一般的な手提げ袋がスーツケースに置かれる時、固定できなく、常にスーツケースから滑り落ち、損するかもしれなく、スーツケースが多すぎると、手に提げるのはすごく不便である。
【先行技術文献】
【特許文献】
【０００３】
【特許文献１】中国特許出願公開第１０６２１３７２１号明細書
【発明の概要】
【発明が解決しようとする課題】
【０００４】
本発明の目的は便利に置ける手提げ袋を提供し、現有の技術の上記欠点を克服できる。
【課題を解決するための手段】
【０００５】
本発明の実施例における便利に置ける手提げ袋は、保存箱を含み、前記保存箱の中には物品を載せられる上に開口した保存チャンバが設置されており、前記保存箱の左右両側には固定箱が固定的に取り付けられ、左右の前記固定箱の頂部端面には手提げ用の手提げ袋バンドが固定的に取り付けられ、左右の前記固定箱の頂部端面には袋蓋が固定的に取り付けられ、前記固定箱の中には歯車チャンバが設置されており、前記歯車チャンバの頂壁の中には前記固定箱の頂部端面を貫通したノブ棒が回転できるように取り付けられ、前記ノブ棒の頂部端面にはノブが固定的に取り付けられ、前記ノブ棒の底部端面には第一傘歯車が固定的に取り付けられ、前記歯車チャンバの前側にはネジ山チャンバが設置されており、前記ネジ山チャンバの中にはネジ山ブロックがスライドできるように取り付けられ、前記ネジ山ブロックの中には後に開口したネジ山穴が設置されており、前記歯車チャンバと前記ネジ山チャンバとの間にはネジ山ボルトが回転できるように取り付けられ、前記ネジ山ボルトと前記ネジ山穴とがネジ山により取り付けられ、前記ネジ山ボルトの後側端面には第二傘歯車が固定的に取り付けられ、前記第二傘歯車と前記第一傘歯車とが噛み合っており、前記ネジ山チャンバの前側には挟みチャンバが連通して設置されており、前記ネジ山ブロックの前側端面には挟み用の挟み棒が固定的に取り付けられ、前記挟みチャンバの左右の内壁の間には回転棒が回転できるように取り付けられ、前記挟みチャンバの左側にはねじりバネチャンバが設置されており、前記ねじりバネチャンバの左側端面にはねじりバネが固定的に取り付けられ、前記ねじりバネの右側端面と前記回転棒とが固定的に連結され、前記回転棒には蓋ボードが固定的に取り付けられ、前記挟み棒と使って固定する時、前記ノブ棒を回し、前記第一傘歯車と前記第二傘歯車との噛合によって前記ネジ山ボルトを回転連動させ、前記ネジ山ブロックを前へ移動させ、前記挟み棒が前記挟みチャンバの中から伸び出ており、挟みを行え、前記ネジ山チャンバの下方には固定機能を有する固定機構が設置されており、前記固定機構は前記固定箱の中に設置される移動チャンバを含み、前記移動チャンバの中には移動ブロックがスライドできるように取り付けられ、前記移動ブロックの中には下に開口した撥条チャンバが設置されており、前記撥条チャンバの中には固定を行える固定ブロックがスライドできるように取り付けられ、前記固定機構の上方には固定機構の移動を制限できるバックル機構が設置される。
【０００６】
更なる技術方案、前記固定機構は前記撥条チャンバと前記固定ブロックとの間に固定的に取り付けられる第一撥条を含み、前記撥条チャンバの頂壁にはスライドチャンバが連通して設置されており、前記スライドチャンバの中にはスライダがスライドできるように連結され、前記スライダと前記固定ブロックとが固定的に連結され、前記移動チャンバには連結チャンバが連結され、前記連結チャンバの前後内壁の間には連結ロッドが回転できるように取り付けられ、前記連結ロッドには歯車が固定的に取り付けられ、前記歯車と前記移動ブロックとが噛み合っており、前記連結チャンバには位置制限チャンバが連通して設置されており、前記係止溝の中には位置制限棒がスライドできるように取り付けられ、前記位置制限棒と前記歯車とが噛み合っている。
【０００７】
更なる技術方案、前記バックル機構は前記位置制限棒の中に設置される係止溝を含み、前記位置制限チャンバには推しチャンバが連通して設置されており、前記推しチャンバにはボタンチャンバが連通して設置されており、前記ボタンチャンバの中にはボタンがスライドできるように取り付けられ、前記ボタンには推し棒が固定的に取り付けられ、前記推し棒と前記固定箱とがスライドできるように取り付けられ、前記ボタンと前記ボタンチャンバとの間には第二撥条が固定的に取り付けられ、前記推し棒には移動棒がヒンジで取り付けられ、前記推しチャンバの前後の内壁の間には補助棒が回転できるように取り付けられ、前記補助棒には伝動棒が固定的に取り付けられ、前記伝動棒にはスライド棒がヒンジで取り付けられ、前記スライド棒と前記固定箱とがスライドできるように連結され、前記スライド棒が前記係止溝の中に引っかかることができ、前記伝動棒の中には補助チャンバが設置されており、前記補助チャンバと前記移動棒とがスライドできるように取り付けられ、前記移動棒と前記補助チャンバとの間には第三撥条が固定的に取り付けられる。
【発明の効果】
【０００８】
本発明の有益な効果は：本発明は両側の挟み棒を使ってスーツケースのキャリーハンドルに挟み、それに両側の固定ブロックを使ってスーツケースに固定でき、手提げ袋をスーツケースに滑り落ちないように置き、必要のない損をさせなく、荷物が多すぎる時、ずっと手で提げる必要がなくて普及する価値がある。
【図面の簡単な説明】
【０００９】
便利に説明するために、本発明は下記の具体実施例及び附図によって詳しく説明する。
【００１０】
【図１】図１は本発明の構成模式図
【図２】図２は図１のＡ−Ａの方向の断面構成模式図
【図３】図３は図１のＢの拡大模式図
【図４】図４は図２のＣの拡大模式図
【発明を実施するための形態】
【００１１】
以下は図１〜４について本発明を詳しく説明し、その中、便利に叙述するように、現在は後文に出る方位を下記の通りに規定する：後文に出る上下左右前後方向は図１本体の投影関係の上下左右前後方向と一致する。
【００１２】
図１〜４を参考して、本発明の実施例における便利に置ける手提げ袋は、保存箱３３を含み、前記保存箱３３の中には物品を載せられる上に開口した保存チャンバ３４が設置されており、前記保存箱３３の左右両側には固定箱１４が固定的に取り付けられ、左右の前記固定箱１４の頂部端面には手提げ用の手提げ袋バンド３６が固定的に取り付けられ、左右の前記固定箱１４の頂部端面には袋蓋３５が固定的に取り付けられ、前記固定箱１４の中には歯車チャンバ３８が設置されており、前記歯車チャンバ３８の頂壁の中には前記固定箱１４の頂部端面を貫通したノブ棒１２が回転できるように取り付けられ、前記ノブ棒１２の頂部端面にはノブ１１が固定的に取り付けられ、前記ノブ棒１２の底部端面には第一傘歯車３７が固定的に取り付けられ、前記歯車チャンバ３８の前側にはネジ山チャンバ４１が設置されており、前記ネジ山チャンバ４１の中にはネジ山ブロック１５がスライドできるように取り付けられ、前記ネジ山ブロック１５の中には後に開口したネジ山穴４０が設置されており、前記歯車チャンバ３８と前記ネジ山チャンバ４１との間にはネジ山ボルト３９が回転できるように取り付けられ、前記ネジ山ボルト３９と前記ネジ山穴４０とがネジ山により取り付けられ、前記ネジ山ボルト３９の後側端面には第二傘歯車４３が固定的に取り付けられ、前記第二傘歯車４３と前記第一傘歯車３７とが噛み合っており、前記ネジ山チャンバ４１の前側には挟みチャンバ４２が連通して設置されており、前記ネジ山ブロック１５の前側端面には挟み用の挟み棒１３が固定的に取り付けられ、前記挟みチャンバ４２の左右の内壁の間には回転棒４６が回転できるように取り付けられ、前記挟みチャンバ４２の左側にはねじりバネチャンバ４４が設置されており、前記ねじりバネチャンバ４４の左側端面にはねじりバネ４５が固定的に取り付けられ、前記ねじりバネ４５の右側端面と前記回転棒４６とが固定的に連結され、前記回転棒４６には蓋ボード４７が固定的に取り付けられ、前記挟み棒１３と使って固定する時、前記ノブ棒１２を回し、前記第一傘歯車３７と前記第二傘歯車４３との噛合によって前記ネジ山ボルト３９を回転連動させ、前記ネジ山ブロック１５を前へ移動させ、前記挟み棒１３が前記挟みチャンバ４２の中から伸び出ており、挟みを行え、前記ネジ山チャンバ４１の下方には固定機能を有する固定機構７０が設置されており、前記固定機構７０は前記固定箱１４の中に設置される移動チャンバ２３を含み、前記移動チャンバ２３の中には移動ブロック２１がスライドできるように取り付けられ、前記移動ブロック２１の中には下に開口した撥条チャンバ２０が設置されており、前記撥条チャンバ２０の中には固定を行える固定ブロック２４がスライドできるように取り付けられ、前記固定機構７０の上方には固定機構の移動を制限できるバックル機構８０が設置される。
【００１３】
前記固定機構７０は前記撥条チャンバ２０と前記固定ブロック２４との間に固定的に取り付けられる第一撥条１９を含み、前記撥条チャンバ２０の頂壁にはスライドチャンバ２９が連通して設置されており、前記スライドチャンバ２９の中にはスライダ３０がスライドできるように連結され、前記スライダ３０と前記固定ブロック２４とが固定的に連結され、前記移動チャンバ２３には連結チャンバ２５が連結され、前記連結チャンバ２５の前後内壁の間には連結ロッド２７が回転できるように取り付けられ、前記連結ロッド２７には歯車２６が固定的に取り付けられ、前記歯車と前記移動ブロック２１とが噛み合っており、前記連結チャンバ２５には位置制限チャンバ３２が連通して設置されており、前記係止溝３１の中には位置制限棒２８がスライドできるように取り付けられ、前記位置制限棒２８と前記歯車２６とが噛み合っており、それにより固定ブロック２４を使って固定を行う時、両側の固定ブロック２４を引き分けて下へ引き動かし、固定を行える。
【００１４】
前記バックル機構８０は前記位置制限棒２８の中に設置される係止溝３１を含み、前記位置制限チャンバ３２には推しチャンバ５４が連通して設置されており、前記推しチャンバ５４にはボタンチャンバ１６が連通して設置されており、前記ボタンチャンバ１６の中にはボタン１７がスライドできるように取り付けられ、前記ボタン１７には推し棒５３が固定的に取り付けられ、前記推し棒５３と前記固定箱１４とがスライドできるように取り付けられ、前記ボタン１７と前記ボタンチャンバ１６との間には第二撥条１８が固定的に取り付けられ、前記推し棒５３には移動棒５２がヒンジで取り付けられ、前記推しチャンバ５４の前後の内壁の間には補助棒４９が回転できるように取り付けられ、前記補助棒４９には伝動棒４８が固定的に取り付けられ、前記伝動棒４８にはスライド棒５６がヒンジで取り付けられ、前記スライド棒５６と前記固定箱１４とがスライドできるように連結され、前記スライド棒５６が前記係止溝３１の中に引っかかることができ、前記伝動棒４８の中には補助チャンバ５１が設置されており、前記補助チャンバ５１と前記移動棒５２とがスライドできるように取り付けられ、前記移動棒５２と前記補助チャンバ５１との間には第三撥条５０が固定的に取り付けられ、それにより両側の固定ブロック２４を下へ引き動かす時、ボタン１７を押し、推し棒５３を推して移動させ、移動棒５２と伝動棒４８との伝動によってスライド棒５６を移動連動させ、スライド棒５６と係止溝３１を係止状態から離脱させ、両側の固定ブロック２４は下へ移動できる。
【００１５】
使用する時、前記挟み棒１３を使って固定する時、前記ノブ棒１２を回し、前記第一傘歯車３７と前記第二傘歯車４３との噛合によって前記ネジ山ボルト３９を回転連動させ、前記ネジ山ブロック１５を前へ移動させ、前記挟み棒１３が前記挟みチャンバ４２の中から伸び出て、スーツケースのキャリーハンドルに挟み、固定ブロック２４を使って固定する時、両側の固定ブロック２４を引き分けて下へ引き動かし、両側の固定ブロック２４を下へ引き動かす時、ボタン１７を押し、推し棒５３を推して移動させ、移動棒５２と伝動棒４８の伝動によってスライド棒５６を移動連動させ、スライド棒５６と係止溝３１を係止状態から離脱させ、両側の固定ブロック２４が下へ移動してスーツケースに固定できる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020175121.tif 000003
【図２】
2020175121.tif 000004
【図３】
2020175121.tif 000005
【図４】
2020175121.tif 000006
【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
便利に置ける手提げバッグであって、保存箱を含み、前記保存箱の中には物品を載せられる上に開口した保存チャンバが設置されており、前記保存箱の左右両側には固定箱が固定的に取り付けられ、左右の前記固定箱の頂部端面には手提げ用の手提げバッグバンドが固定的に取り付けられ、左右の前記固定箱の頂部端面には袋蓋が固定的に取り付けられ、前記固定箱の中には歯車チャンバが設置されており、前記歯車チャンバの頂壁の中には前記固定箱の頂部端面を貫通したノブ棒が回転できるように取り付けられ、前記ノブ棒の頂部端面にはノブが固定的に取り付けられ、前記ノブ棒の底部端面には第一傘歯車が固定的に取り付けられ、前記歯車チャンバの前側にはネジ山チャンバが設置されており、前記ネジ山チャンバの中にはネジ山ブロックがスライドできるように取り付けられ、前記ネジ山ブロックの中には後に開口したネジ山穴が設置されており、前記歯車チャンバと前記ネジ山チャンバとの間にはネジ山ボルトが回転できるように取り付けられ、前記ネジ山ボルトと前記ネジ山穴とがネジ山により取り付けられ、前記ネジ山ボルトの後側端面には第二傘歯車が固定的に取り付けられ、前記第二傘歯車と前記第一傘歯車とが噛み合っており、前記ネジ山チャンバの前側には挟みチャンバが連通して設置されており、前記ネジ山ブロックの前側端面には挟み用の挟み棒が固定的に取り付けられ、前記挟みチャンバの左右の内壁の間には回転棒が回転できるように取り付けられ、前記挟みチャンバの左側にはねじりバネチャンバが設置されており、前記ねじりバネチャンバの左側端面にはねじりバネが固定的に取り付けられ、前記ねじりバネの右側端面と前記回転棒とが固定的に連結され、前記回転棒には蓋ボードが固定的に取り付けられ、前記挟み棒を使って固定する時、前記ノブ棒を回し、前記第一傘歯車と前記第二傘歯車との噛合によって前記ネジ山ボルトを回転連動させ、前記ネジ山ブロックを前へ移動させ、前記挟み棒が前記挟みチャンバの中から伸び出ており、挟みを行え、前記ネジ山チャンバの下方には固定機能を有する固定機構が設置されており、前記固定機構は前記固定箱の中に設置される移動チャンバを含み、前記移動チャンバの中には移動ブロックが上下にスライドできるように取り付けられ、前記移動ブロックの中には下に開口した撥条チャンバが設置されており、前記撥条チャンバの中にはスーツケースを固定するための固定ブロックが上下にスライドできるように取り付けられ、前記固定機構はさらに、前記撥条チャンバと前記固定ブロックとの間に固定された第一撥条、スライドチャンバ、スライダ、連結チャンバ、連結ロッド、歯車、位置制限チャンバおよび位置制限棒を含み、前記固定機構の上方には前記固定機構に含まれる前記固定ブロックの移動を制限できるバックル機構が設置され、前記バックル機構は、前記位置制限棒が取り付けられた係止溝、推しチャンバ、ボタンチャンバ、ボタン、推し棒、第二撥条、移動棒、補助棒、伝動棒およびスライド棒を含み、
前記撥条チャンバの頂壁には前記スライドチャンバが連通して設置されており、前記スライドチャンバの中には前記スライダが上下にスライドできるように連結され、前記スライダと前記固定ブロックとが固定的に連結され、前記移動チャンバには前記連結チャンバが連結され、前記連結チャンバの前後内壁の間には前記連結ロッドが回転できるように取り付けられ、前記連結ロッドには前記歯車が固定的に取り付けられ、前記歯車と前記移動ブロックとが噛み合っており、前記連結チャンバには前記位置制限チャンバが連通して設置されており、前記係止溝の中には前記位置制限棒がスライドできるように取り付けられ、前記位置制限棒と前記歯車とが噛み合っており、それにより固定ブロックを使って固定を行う時、両側の固定ブロックを引き分けて下へ引き動かし、固定を行え、
前記位置制限チャンバには前記推しチャンバが連通して設置されており、前記推しチャンバには前記ボタンチャンバが連通して設置されており、前記ボタンチャンバの中には前記ボタンがスライドできるように取り付けられ、前記ボタンには前記推し棒が固定的に取り付けられ、前記推し棒と前記固定箱とがスライドできるように取り付けられ、前記ボタンと前記ボタンチャンバとの間には前記第二撥条が固定的に取り付けられ、前記推し棒には前記移動棒がヒンジで取り付けられ、前記推しチャンバの前後の内壁の間には前記補助棒が回転できるように取り付けられ、前記補助棒には前記伝動棒が固定的に取り付けられ、前記伝動棒には前記スライド棒がヒンジで取り付けられ、前記スライド棒と前記固定箱とがスライドできるように連結され、前記スライド棒が前記係止溝の中に引っかかることができ、前記伝動棒の中には補助チャンバが設置されており、前記補助チャンバと前記移動棒とがスライドできるように取り付けられ、前記移動棒と前記補助チャンバとの間には第三撥条が固定的に取り付けられ、それにより両側の固定ブロックを下へ引き動かす時、ボタンを押し、推し棒を推して移動させ、移動棒と伝動棒との伝動によってスライド棒を移動連動させ、スライド棒と係止溝を係止状態から離脱させ、両側の固定ブロックは下へ移動でき、
使用する時、前記挟み棒を使って固定する時、前記ノブ棒を回し、前記第一傘歯車と前記第二傘歯車との噛合によって前記ネジ山ボルトを回転連動させ、前記ネジ山ブロックを前へ移動させ、前記挟み棒が前記挟みチャンバの中から伸び出て、スーツケースのキャリーハンドルを挟み、前記固定ブロックを使って固定する時、両側の前記固定ブロックを引き分けて下へ引き動かし、両側の前記固定ブロックを下へ引き動かす時、前記ボタンを押し、前記推し棒を推して移動させ、前記移動棒と前記伝動棒の伝動によって前記スライド棒を移動連動させ、前記スライド棒と前記係止溝を係止状態から離脱させ、両側の前記固定ブロックが下へ移動してスーツケースに固定できることを特徴とする便利に置ける手提げバッグ。
【手続補正２】
【補正対象書類名】明細書
【補正対象項目名】全文
【補正方法】変更
【補正の内容】
【発明の詳細な説明】
【技術分野】
【０００１】
本発明は手提げバッグの分野を取り上げて、具体的には便利に置ける手提げバッグである。
【背景技術】
【０００２】
外出旅行する時、手提げバッグとスーツケースで手荷物を携帯し、一般的な手提げバッグがスーツケースに置かれる時、固定できなく、常にスーツケースから滑り落ち、損するかもしれなく、スーツケースが多すぎると、手に提げるのはすごく不便である。
【先行技術文献】
【特許文献】
【０００３】
【特許文献１】中国特許出願公開第１０６２１３７２１号明細書
【発明の概要】
【発明が解決しようとする課題】
【０００４】
本発明の目的は便利に置ける手提げバッグを提供し、現有の技術の上記欠点を克服できる。
【課題を解決するための手段】
【０００５】
本発明の実施例における便利に置ける手提げバッグは、保存箱を含み、前記保存箱の中には物品を載せられる上に開口した保存チャンバが設置されており、前記保存箱の左右両側には固定箱が固定的に取り付けられ、左右の前記固定箱の頂部端面には手提げ用の手提げバッグバンドが固定的に取り付けられ、左右の前記固定箱の頂部端面には袋蓋が固定的に取り付けられ、前記固定箱の中には歯車チャンバが設置されており、前記歯車チャンバの頂壁の中には前記固定箱の頂部端面を貫通したノブ棒が回転できるように取り付けられ、前記ノブ棒の頂部端面にはノブが固定的に取り付けられ、前記ノブ棒の底部端面には第一傘歯車が固定的に取り付けられ、前記歯車チャンバの前側にはネジ山チャンバが設置されており、前記ネジ山チャンバの中にはネジ山ブロックがスライドできるように取り付けられ、前記ネジ山ブロックの中には後に開口したネジ山穴が設置されており、前記歯車チャンバと前記ネジ山チャンバとの間にはネジ山ボルトが回転できるように取り付けられ、前記ネジ山ボルトと前記ネジ山穴とがネジ山により取り付けられ、前記ネジ山ボルトの後側端面には第二傘歯車が固定的に取り付けられ、前記第二傘歯車と前記第一傘歯車とが噛み合っており、前記ネジ山チャンバの前側には挟みチャンバが連通して設置されており、前記ネジ山ブロックの前側端面には挟み用の挟み棒が固定的に取り付けられ、前記挟みチャンバの左右の内壁の間には回転棒が回転できるように取り付けられ、前記挟みチャンバの左側にはねじりバネチャンバが設置されており、前記ねじりバネチャンバの左側端面にはねじりバネが固定的に取り付けられ、前記ねじりバネの右側端面と前記回転棒とが固定的に連結され、前記回転棒には蓋ボードが固定的に取り付けられ、前記挟み棒を使って固定する時、前記ノブ棒を回し、前記第一傘歯車と前記第二傘歯車との噛合によって前記ネジ山ボルトを回転連動させ、前記ネジ山ブロックを前へ移動させ、前記挟み棒が前記挟みチャンバの中から伸び出ており、挟みを行え、前記ネジ山チャンバの下方には固定機能を有する固定機構が設置されており、前記固定機構は前記固定箱の中に設置される移動チャンバを含み、前記移動チャンバの中には移動ブロックが上下にスライドできるように取り付けられ、前記移動ブロックの中には下に開口した撥条チャンバが設置されており、前記撥条チャンバの中にはスーツケースを固定するための固定ブロックが上下にスライドできるように取り付けられ、前記固定機構はさらに、前記撥条チャンバと前記固定ブロックとの間に固定された第一撥条、スライドチャンバ、スライダ、連結チャンバ、連結ロッド、歯車、位置制限チャンバおよび位置制限棒を含み、前記固定機構の上方には前記固定機構に含まれる前記固定ブロックの移動を制限できるバックル機構が設置され、前記バックル機構は、前記位置制限棒が取り付けられた係止溝、推しチャンバ、ボタンチャンバ、ボタン、推し棒、第二撥条、移動棒、補助棒、伝動棒およびスライド棒を含む。
【０００６】
更なる技術方案、前記撥条チャンバの頂壁には前記スライドチャンバが連通して設置されており、前記スライドチャンバの中には前記スライダが上下にスライドできるように連結され、前記スライダと前記固定ブロックとが固定的に連結され、前記移動チャンバには前記連結チャンバが連結され、前記連結チャンバの前後内壁の間には前記連結ロッドが回転できるように取り付けられ、前記連結ロッドには前記歯車が固定的に取り付けられ、前記歯車と前記移動ブロックとが噛み合っており、前記連結チャンバには前記位置制限チャンバが連通して設置されており、前記係止溝の中には前記位置制限棒がスライドできるように取り付けられ、前記位置制限棒と前記歯車とが噛み合っている。
【０００７】
更なる技術方案、前記位置制限チャンバには前記推しチャンバが連通して設置されており、前記推しチャンバには前記ボタンチャンバが連通して設置されており、前記ボタンチャンバの中には前記ボタンがスライドできるように取り付けられ、前記ボタンには前記推し棒が固定的に取り付けられ、前記推し棒と前記固定箱とがスライドできるように取り付けられ、前記ボタンと前記ボタンチャンバとの間には前記第二撥条が固定的に取り付けられ、前記推し棒には前記移動棒がヒンジで取り付けられ、前記推しチャンバの前後の内壁の間には前記補助棒が回転できるように取り付けられ、前記補助棒には前記伝動棒が固定的に取り付けられ、前記伝動棒には前記スライド棒がヒンジで取り付けられ、前記スライド棒と前記固定箱とがスライドできるように連結され、前記スライド棒が前記係止溝の中に引っかかることができ、前記伝動棒の中には補助チャンバが設置されており、前記補助チャンバと前記移動棒とがスライドできるように取り付けられ、前記移動棒と前記補助チャンバとの間には第三撥条が固定的に取り付けられる。
【発明の効果】
【０００８】
本発明の有益な効果は：本発明は両側の挟み棒を使ってスーツケースのキャリーハンドルを挟み、それに両側の固定ブロックを使ってスーツケースに固定でき、手提げバッグをスーツケースに滑り落ちないように置き、必要のない損をさせなく、荷物が多すぎる時、ずっと手で提げる必要がなくて普及する価値がある。
【図面の簡単な説明】
【０００９】
便利に説明するために、本発明は下記の具体実施例及び附図によって詳しく説明する。
【００１０】
【図１】図１は本発明の構成模式図
【図２】図２は図１のＡ−Ａの方向の断面構成模式図
【図３】図３は図１のＢの拡大模式図
【図４】図４は図２のＣの拡大模式図
【発明を実施するための形態】
【００１１】
以下は図１〜４について本発明を詳しく説明し、その中、便利に叙述するように、現在は後文に出る方位を下記の通りに規定する：後文に出る上下左右前後方向は図１本体の投影関係の上下左右前後方向と一致する。
【００１２】
図１〜４を参考して、本発明の実施例における便利に置ける手提げバッグは、保存箱３３を含み、前記保存箱３３の中には物品を載せられる上に開口した保存チャンバ３４が設置されており、前記保存箱３３の左右両側には固定箱１４が固定的に取り付けられ、左右の前記固定箱１４の頂部端面には手提げ用の手提げバッグバンド３６が固定的に取り付けられ、左右の前記固定箱１４の頂部端面には袋蓋３５が固定的に取り付けられ、前記固定箱１４の中には歯車チャンバ３８が設置されており、前記歯車チャンバ３８の頂壁の中には前記固定箱１４の頂部端面を貫通したノブ棒１２が回転できるように取り付けられ、前記ノブ棒１２の頂部端面にはノブ１１が固定的に取り付けられ、前記ノブ棒１２の底部端面には第一傘歯車３７が固定的に取り付けられ、前記歯車チャンバ３８の前側にはネジ山チャンバ４１が設置されており、前記ネジ山チャンバ４１の中にはネジ山ブロック１５がスライドできるように取り付けられ、前記ネジ山ブロック１５の中には後に開口したネジ山穴４０が設置されており、前記歯車チャンバ３８と前記ネジ山チャンバ４１との間にはネジ山ボルト３９が回転できるように取り付けられ、前記ネジ山ボルト３９と前記ネジ山穴４０とがネジ山により取り付けられ、前記ネジ山ボルト３９の後側端面には第二傘歯車４３が固定的に取り付けられ、前記第二傘歯車４３と前記第一傘歯車３７とが噛み合っており、前記ネジ山チャンバ４１の前側には挟みチャンバ４２が連通して設置されており、前記ネジ山ブロック１５の前側端面には挟み用の挟み棒１３が固定的に取り付けられ、前記挟みチャンバ４２の左右の内壁の間には回転棒４６が回転できるように取り付けられ、前記挟みチャンバ４２の左側にはねじりバネチャンバ４４が設置されており、前記ねじりバネチャンバ４４の左側端面にはねじりバネ４５が固定的に取り付けられ、前記ねじりバネ４５の右側端面と前記回転棒４６とが固定的に連結され、前記回転棒４６には蓋ボード４７が固定的に取り付けられ、前記挟み棒１３を使って固定する時、前記ノブ棒１２を回し、前記第一傘歯車３７と前記第二傘歯車４３との噛合によって前記ネジ山ボルト３９を回転連動させ、前記ネジ山ブロック１５を前へ移動させ、前記挟み棒１３が前記挟みチャンバ４２の中から伸び出ており、挟みを行え、前記ネジ山チャンバ４１の下方には固定機能を有する固定機構７０が設置されており、前記固定機構７０は前記固定箱１４の中に設置される移動チャンバ２３を含み、前記移動チャンバ２３の中には移動ブロック２１が上下にスライドできるように取り付けられ、前記移動ブロック２１の中には下に開口した撥条チャンバ２０が設置されており、前記撥条チャンバ２０の中にはスーツケースを固定するための固定ブロック２４が上下にスライドできるように取り付けられ、前記固定機構７０はさらに、前記撥条チャンバ２０と前記固定ブロック２４との間に固定された第一撥条１９、スライドチャンバ２９、スライダ３０、連結チャンバ２５、連結ロッド２７、歯車２６、位置制限チャンバ３２および位置制限棒２８を含み、前記固定機構７０の上方には前記固定機構７０に含まれる前記固定ブロック２４の移動を制限できるバックル機構８０が設置され、前記バックル機構８０は、前記位置制限棒２８が取り付けられた係止溝３１、推しチャンバ５４、ボタンチャンバ１６、ボタン１７、推し棒５３、第二撥条１８、移動棒５２、補助棒４９、伝動棒４８およびスライド棒５６を含む
【００１３】
前記撥条チャンバ２０の頂壁には前記スライドチャンバ２９が連通して設置されており、前記スライドチャンバ２９の中には前記スライダ３０が上下にスライドできるように連結され、前記スライダ３０と前記固定ブロック２４とが固定的に連結され、前記移動チャンバ２３には前記連結チャンバ２５が連結され、前記連結チャンバ２５の前後内壁の間には前記連結ロッド２７が回転できるように取り付けられ、前記連結ロッド２７には前記歯車２６が固定的に取り付けられ、前記歯車と前記移動ブロック２１とが噛み合っており、前記連結チャンバ２５には前記位置制限チャンバ３２が連通して設置されており、前記係止溝３１の中には前記位置制限棒２８がスライドできるように取り付けられ、前記位置制限棒２８と前記歯車２６とが噛み合っており、それにより固定ブロック２４を使って固定を行う時、両側の固定ブロック２４を引き分けて下へ引き動かし、固定を行える。
【００１４】
前記位置制限チャンバ３２には前記推しチャンバ５４が連通して設置されており、前記推しチャンバ５４には前記ボタンチャンバ１６が連通して設置されており、前記ボタンチャンバ１６の中には前記ボタン１７がスライドできるように取り付けられ、前記ボタン１７には前記推し棒５３が固定的に取り付けられ、前記推し棒５３と前記固定箱１４とがスライドできるように取り付けられ、前記ボタン１７と前記ボタンチャンバ１６との間には前記第二撥条１８が固定的に取り付けられ、前記推し棒５３には前記移動棒５２がヒンジで取り付けられ、前記推しチャンバ５４の前後の内壁の間には前記補助棒４９が回転できるように取り付けられ、前記補助棒４９には前記伝動棒４８が固定的に取り付けられ、前記伝動棒４８には前記スライド棒５６がヒンジで取り付けられ、前記スライド棒５６と前記固定箱１４とがスライドできるように連結され、前記スライド棒５６が前記係止溝３１の中に引っかかることができ、前記伝動棒４８の中には補助チャンバ５１が設置されており、前記補助チャンバ５１と前記移動棒５２とがスライドできるように取り付けられ、前記移動棒５２と前記補助チャンバ５１との間には第三撥条５０が固定的に取り付けられ、それにより両側の固定ブロック２４を下へ引き動かす時、ボタン１７を押し、推し棒５３を推して移動させ、移動棒５２と伝動棒４８との伝動によってスライド棒５６を移動連動させ、スライド棒５６と係止溝３１を係止状態から離脱させ、両側の固定ブロック２４は下へ移動できる。
【００１５】
使用する時、前記挟み棒１３を使って固定する時、前記ノブ棒１２を回し、前記第一傘歯車３７と前記第二傘歯車４３との噛合によって前記ネジ山ボルト３９を回転連動させ、前記ネジ山ブロック１５を前へ移動させ、前記挟み棒１３が前記挟みチャンバ４２の中から伸び出て、スーツケースのキャリーハンドルを挟み、固定ブロック２４を使って固定する時、両側の固定ブロック２４を引き分けて下へ引き動かし、両側の固定ブロック２４を下へ引き動かす時、ボタン１７を押し、推し棒５３を推して移動させ、移動棒５２と伝動棒４８の伝動によってスライド棒５６を移動連動させ、スライド棒５６と係止溝３１を係止状態から離脱させ、両側の固定ブロック２４が下へ移動してスーツケースに固定できる。
【００１６】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。